(57)【要約】【課題】  従来のリバーシブル衣服は裏返して着てもニット生地であるので、大幅なイメージチェンジを図るのには限界があるという欠点があった。【解決手段】  本発明のリバーシブル衣服は、ニット衣服の一面にスカーフ生地をはぎ合わせたことを特徴とする。また、本発明のリバーシブル衣服は、ニット製のセーターと、ニット製のベストと、ニット製のカーディガンと、１枚のスカーフから切り取り夫々対応する部分にはぎ合わせた上記セーターの一方の面の前身頃と略同形状のセーター用スカーフ生地と、上記ベストの一方の面の左側及び右側前身頃と略同形状のベスト用スカーフ生地と、上記カーディガンの一方の面の左側及び右側前身頃と略同形状のカーディガン用スカーフ生地とよりなることを特徴とする。【選択図】  図１
2006083501.tif 000002
【特許請求の範囲】
【請求項１】
ニット衣服の一面にスカーフ生地をはぎ合わせたことを特徴とするリバーシブル衣服。
【請求項２】
ニット製のセーターと、ニット製のベストと、ニット製のカーディガンと、１枚のスカーフから切り取り夫々対応する部分にはぎ合わせた上記セーターの一方の面の前身頃と略同形状のセーター用スカーフ生地と、上記ベストの一方の面の左側及び右側前身頃と略同形状のベスト用スカーフ生地と、上記カーディガンの一方の面の左側及び右側前身頃と略同形状のカーディガン用スカーフ生地とよりなることを特徴とするリバーシブル衣服。
【請求項３】
上記スカーフの下縁中央部分が上記セーター用スカーフ生地の裾部分となり、上記スカーフの上縁右側部分が上記左側のベスト用スカーフ生地のフロントとなり、上記スカーフの右縁上部分が上記左側のベスト用スカーフ生地の裾部分となり、上記スカーフの上縁左側部分が上記右側のベスト用スカーフ生地のフロントとなり、上記スカーフの左縁上部分が上記右側のベスト用スカーフ生地の裾部分となり、上記スカーフの右縁下部分が上記左側のカーディガン用スカーフ生地のフロントとなり、上記スカーフの下縁右側部分が上記左側のカーディガン用スカーフ生地の裾部分となり、上記スカーフの左縁下部分が上記右側のカーディガン用スカーフ生地のフロントとなり、上記スカーフの下縁左側部分が上記右側のカーディガン用スカーフ生地の裾部分となるように切り取られていることを特徴とする請求項２記載のリバーシブル衣服。
【請求項４】
上記ニット同士の接続部分及びニットとスカーフ生地の接続部分は夫々はぎ合わせにより仕上げられていることを特徴とする請求項１、２または３記載のリバーシブル衣服。
【請求項５】
上記ニットのはぎ合わせた両縁部は、その縁部の目以外の目が増、減されていることを特徴とする請求項１、２、３または４記載のリバーシブル衣服。
【発明の詳細な説明】
【技術分野】
【０００１】
本発明はリバーシブル衣服、特に、スカーフ生地を有するリバーシブルセーター、ベスト、カーディガンに関するものである。
【背景技術】
【０００２】
従来、ニット製のリバーシブル衣服としては特許文献１がある。
【特許文献１】実開平１−１６８５７９号
【発明の開示】
【発明が解決しようとする課題】
【０００３】
然しながら、上記従来のリバーシブル衣服は裏返して着てもニット生地であるので、大幅なイメージチェンジを図るのには限界があった。
【０００４】
本発明は上記の欠点を除くようにしたものである。
【課題を解決するための手段】
【０００５】
本発明のリバーシブル衣服は、ニット衣服の一面にスカーフ生地をはぎ合わせたことを特徴とする。
【０００６】
また、本発明のリバーシブル衣服は、ニット製のセーターと、ニット製のベストと、ニット製のカーディガンと、１枚のスカーフから切り取り夫々対応する部分にはぎ合わせた上記セーターの一方の面の前身頃と略同形状のセーター用スカーフ生地と、上記ベストの一方の面の左側及び右側前身頃と略同形状のベスト用スカーフ生地と、上記カーディガンの一方の面の左側及び右側前身頃と略同形状のカーディガン用スカーフ生地とよりなることを特徴とする。
【０００７】
また、本発明のリバーシブル衣服は、上記スカーフの下縁中央部分が上記セーター用スカーフ生地の裾部分となり、上記スカーフの上縁右側部分が上記左側のベスト用スカーフ生地のフロントとなり、上記スカーフの右縁上部分が上記左側のベスト用スカーフ生地の裾部分となり、上記スカーフの上縁左側部分が上記右側のベスト用スカーフ生地のフロントとなり、上記スカーフの左縁上部分が上記右側のベスト用スカーフ生地の裾部分となり、上記スカーフの右縁下部分が上記左側のカーディガン用スカーフ生地のフロントとなり、上記スカーフの下縁右側部分が上記左側のカーディガン用スカーフ生地の裾部分となり、上記スカーフの左縁下部分が上記右側のカーディガン用スカーフ生地のフロントとなり、上記スカーフの下縁左側部分が上記右側のカーディガン用スカーフ生地の裾部分となるように切り取られていることを特徴とする。
【０００８】
上記ニット同士の接続部分及びニットとスカーフ生地の接続部分は夫々はぎ合わせにより仕上げられていることを特徴とする。
【０００９】
上記ニットのはぎ合わせた両縁部は、その縁部の目以外の目が増、減されていることを特徴とする。
【発明の効果】
【００１０】
本発明のリバーシブル衣服においては、衣服の一方の面はニットであり、他方の面は模様のあるスカーフ生地をはぎ合わせているので、裏表で着替えることにより大幅なイメージチェンジを図ることができる大きな利益がある。
【００１１】
また、同時に着ることが可能なセーター、ベスト、カーディガンの３点セットの前身頃に、１枚のスカーフから切り取ったスカーフ生地を夫々はぎ合わせるので、セーター、ベスト、カーディガンを同時に着たときに模様の統一を図ることができる。
【００１２】
また、一般にスカーフの縁部分の模様は中央部の模様とは異なり見栄えが良くないが、本発明においては、スカーフの縁部分を目立たないニット衣服の裾やフロント部分とし、スカーフの中央部を目立つニット衣服の胸部分となるように、１枚のスカーフから各スカーフ生地を切り取ったので、各衣服のデザインを良くすることができる。
【００１３】
また、接続部分をリバーシブル仕上げとしたので、服をリバーシブルとして利用しても見た目が良い。
【００１４】
また、増目部分同士ではぎ合わせないので見た目が良い。
【発明を実施するための最良の形態】
【００１５】
以下図面によって本発明の実施例を説明する。
【実施例１】
【００１６】
本発明のリバーシブル衣服においては、図１に示すように、同時に着ることが可能なシルクニット製のセーター１と、ベスト２と、カーディガン３を３点セットとし、セーター１の一方の面のセーター前身頃４、ベスト２の左側及び右側前身頃５ａ，５ｂ、カーディガン３の左側及び右側前身頃６ａ，６ｂと略同形状のセーター用スカーフ生地７、左側及び右側のベスト用スカーフ生地８ａ，８ｂ、左側及び右側のカーディガン用スカーフ生地９ａ，９ｂを図２に示す１枚の四角のスカーフ１０から切り取り、対応する部分に夫々はぎ合わせる。
【００１７】
なお、図２に示すように、１枚のスカーフ１０の下縁中央部分１１が上記セーター用スカーフ生地７の裾部分となるように切り取る。
【００１８】
また、上記スカーフ１０の上縁右側部分１３ａが上記左側のベスト用スカーフ生地８ａのフロントとなり、上記スカーフ１０の右縁上部分１４ａが上記左側のベスト用スカーフ生地８ａの裾部分となり、上記スカーフ１０の上縁左側部分１３ｂが上記右側のベスト用スカーフ生地８ｂのフロントとなり、上記スカーフ１０の左縁上部分１４ｂが上記右側のベスト用スカーフ生地８ｂの裾部分となるように切り取る。
【００１９】
また、上記スカーフ１０の右縁下部分１６ａが上記左側のカーディガン用スカーフ生地９ａのフロントとなり、上記スカーフ１０の下縁右側部分１７ａが上記左側のカーディガン用スカーフ生地９ａの裾部分となり、上記スカーフ１０の左縁下部分１６ｂが上記右側のカーディガン用スカーフ生地９ｂのフロントとなり、上記スカーフ１０の下縁左側部分１７ｂが上記右側のカーディガン用スカーフ生地９ｂの裾部分となるように切り取る。
【００２０】
また、上記ニット同士の接続部分及びニットとスカーフ生地の接続部分ははぎ合せ（リバーシブル仕上げ）で仕上げる。
【００２１】
なお、上記各ニット衣服の、例えば袖部分などの袖口から肩口に向うにしたがってそのアームホールの径（内径）が徐々に拡大していく筒状部分を作る場合、図３に示すように、袖口の１段目の目数を例えば１０１目として、平編みの一目ゴム編みで８段編んでいき、次に、９段の右縁の目から左に向って４目まで編み、５目までの間に２目だけ増目し、更にその増目から左側に向って編み、左縁の目から数えて４目と５目との間に２目だけ増目とする。
【００２２】
次に、１０段から１６段まで増目した１０５目として一目ゴム編みで編んでいき、１７段目からは更に上記のように、右縁の目から４目から５目までの間に２目だけ増目し、更に、その増目から左に向って編み、左縁の目から数えて４目と５目との間に２目だけ増目し、以下同様に、例えば８段ごとに肩口まで順次増目し拡大形状のニット１９を作成せしめる。
【００２３】
次に図４に示すように上記ニット１９の両縁部２０，２０をはぎ合わせて筒状とし袖部分２１を作成せしめる。
【００２４】
本発明のリバーシブル衣服においては、衣服の一方の面はニットであり、他方の面は模様のあるスカーフ生地をはぎ合わせているので、裏表で着替えることにより大幅なイメージチェンジを図ることができる大きな利益がある。
【００２５】
また、同時に着ることが可能なセーター、ベスト、カーディガンの３点セットの前身頃に、１枚のスカーフから切り取ったスカーフ生地をはぎ合わせるので、セーター、ベスト、カーディガンを同時に着たときに模様の統一を図ることができる。
【００２６】
また、一般にスカーフの縁部分の模様は中央部の模様とは異なり見栄えが良くないが、本発明においては、スカーフの縁部分を目立たないニット衣服の裾やフロント部分とし、スカーフの中央部を目立つニット衣服の胸部分となるように、１枚のスカーフから各スカーフ生地を切り取ったので、各衣服のデザインを良くすることができる。
【００２７】
また、接続部分をリバーシブル仕上げとしたので、服をリバーシブルとして利用しても見た目が良い。
【００２８】
また、増目部分同士ではぎ合わせないので見た目が良い。
【００２９】
なお、各スカーフ生地のうちスカーフの縁部分のみ切り取って、ニット衣服に設けるようにしてもよい。
【００３０】
また、１枚のスカーフから切り取る、ベスト用スカーフ生地とカーディガン用スカーフ生地の場所を逆としてもよい。
【００３１】
また、上記実施例においてはニットの両端から数えて夫々４目部分から増目をしたが、ニットの両縁の目から夫々２目以上の部分から増目を行ってもよい。
【００３２】
また、増目ではなく、同様にして減目を行っても良い。
【図面の簡単な説明】
【００３３】
【図１】本発明のリバーシブル衣服のセーター、ベスト、カーディガンの平面図である。
【図２】本発明のリバーシブル衣服のスカーフ生地を切り取るスカーフの説明用平面図である。
【図３】本発明のリバーシブル衣服の袖部分の編地の平面図である。
【図４】本発明のリバーシブル衣服の袖部分の斜視図である。
【符号の説明】
【００３４】
１    セーター
２    ベスト
３    カーディガン
４    セーター前身頃
５ａ  ベストの左側前身頃
５ｂ  ベストの右側前身頃
６ａ  カーディガンの左側前身頃
６ｂ  カーディガンの右側前身頃
７    セーター用スカーフ生地
８ａ  左側のベスト用スカーフ生地
８ｂ  右側のベスト用スカーフ生地
９ａ  左側のカーディガン用スカーフ生地
９ｂ  右側のカーディガン用スカーフ生地
１０    スカーフ
１１    下縁中央部分
１３ａ  上縁右側部分
１３ｂ  上縁左側部分
１４ａ  右縁上部分
１４ｂ  左縁上部分
１６ａ  右縁下部分
１６ｂ  左縁下部分
１７ａ  下縁右側部分
１７ｂ  下縁左側部分
１９    ニット
２０    両縁部
２１    袖部分
【図１】
2006083501.tif 000003
【図２】
2006083501.tif 000004
【図３】
2006083501.tif 000005
【図４】
2006083501.tif 000006